(57)【要約】特に高炉用の材料ホッパは、材料を貯蔵するための収容中空シェル（１２）を含み、このシェルは入口部分を有する上部シェル部（２０）と、出口部分（２８）を有する非対称の漏斗形の下部シェル部（２６）とを含む。ウェアプレート配置（４２）は、下部シェル部（２６）の内壁（１４）の少なくとも一部を覆い、ウェアプレート配置は、内壁に沿って積層された複数の列において互いに隣接して配置された複数のウェアプレート（４４）を含む。ウェアプレート（４４）は、下部シェル部（２６）と、漏斗形の下部シェル部（２６）の形状と実質的に一致する仮想の直円錐（５０）の軸（Ｖ）に垂直な平面との交点によって画定される平行な実装ライン（４８）に従う列に配置される。【選択図】図３
2019531410.tif 000002
【特許請求の範囲】
【請求項１】
特に高炉用の材料ホッパ（１０´）であって、
材料を貯蔵するための収容中空シェル（１２）であって、前記シェルは入り口部分を有する上部シェル部（２０）と、出口部分（２８）を有する非対称の漏斗形の下部シェル部（２６）とを含む、収容中空シェルと、
前記下部シェル部（２６）の内壁（１４）の少なくとも一部を覆うウェアプレート配置（４２）であって、前記ウェアプレート配置は互いに隣接して複数列に配置された複数のウェアプレート（４４）を含み、前記列は前記内壁に沿って積層されているウェアプレート装置と、を備え、
前記ウェアプレート（４４）は、前記漏斗形の下部シェル部（２６）の前記形状と実質的に一致する仮想の直円錐（５０）の前記軸（Ｖ）に垂直な平面に対する前記下部シェル部（２６）の交差によってそれぞれ画定される平行な実装ライン（４８）に従う列に配置されることを特徴とする、材料ホッパ。
【請求項２】
前記下部シェル部（２６）の前記材料出口（２８）が実質的に垂直方向の材料の流出を生じるように垂直に向けられ、水平面に円形の断面を有する、請求項１に記載の材料ホッパ。
【請求項３】
前記下部シェル部（２６）は、それが、好ましくは円筒形の中央部分（１８）を介して、前記上部シェル部（２０）と接続するための上部接続端部（２７）を有し、
前記接続端部（２７）は前記水平面に円形断面を有し、
前記接続端部（２７）は前記材料出口（２８）に対して偏心している、請求項２に記載の材料ホッパ。
【請求項４】
前記仮想直円錐台（５０）が、前記下部シェル部の内壁形状にぴったり合う円錐である、請求項１から３のいずれか一項に記載の材料ホッパ。
【請求項５】
同じ実装ライン（４８）に沿って、同じ列に配置された全ての前記ウェアプレート（４４）が同じ形状を有する、請求項１から４のいずれか一項に記載の材料ホッパ。
【請求項６】
各ウェアプレート（４４）は、前記ホッパの前記内側に面する前面（５６）と、それによってウェアプレートが前記下部シェル部（２６）の前記内壁（１４）に対して取り付けられている対向する後面（５８）と、凸状のＶ字形の輪郭を有する長手方向に延びる横方向端部（６４）とを有する湾曲した本体（５４）を含む、請求項１から５のいずれか一項に記載の材料ホッパ。
【請求項７】
前記ウェアプレート配置（４２）が、前記下部シェル部の前記内壁（１４）の少なくとも衝突領域（３８）を覆う、請求項１から６のいずれか一項に記載の材料ホッパ。
【請求項８】
請求項１から７のいずれか一項に記載の１つ又は複数の材料ホッパを備えるシャフト炉装入装置。
【請求項９】
請求項１から７のいずれか一項に記載の１つ又は複数の材料ホッパを含む装入装置を含む高炉。
【発明の詳細な説明】
【技術分野】
【０００１】
本発明は材料貯蔵の分野に関する。本発明は、より詳細には材料ホッパに関し、特にシャフト又は炉内での原料の貯蔵のための材料ホッパに関する。
【背景技術】
【０００２】
現代の高生産高炉の建設は、部分的に、装入物が一様に分配されなければならない炉内の中心部の寸法の増大のために、装入配置に対して新しくより厳格な要求を課してきた。
【０００３】
装入動作中、スキップ又はコンベヤベルトが装入材料を高炉の頂部に配置された１つ又は複数の材料ホッパに運ぶ。所与のホッパを充填する際には、密閉されて炉頂部動作圧力に加圧される。このような材料ホッパは、従来、炉口に入る前に中央に配置された樋に材料を供給する樋流し容器（ｓｌｕｉｃｅ  ｂｉｎ）の形態を有していた。
【０００４】
材料ホッパ内に保持されている装入材料の放出は、炉床内で行われる化学反応に必要な材料の量を最適化するために、材料ゲートによって正確に制御される。
【０００５】
現代のベルレストップ炉は、１つ、２つ、又は３つの材料ホッパを使用している。複数ホッパ構成では、ホッパは交互に使用され、一方が充填され、一時的な貯蔵として機能し、他方は空である。３つ目のホッパは、２つの作動ホッパのうちの１つでメンテナンスが必要な場合に使用するため、あるいは５０％を超える過装入又はキャッチアップ能力を維持しながら、装入オプションの最大の柔軟性を提供するために提供できる。
【０００６】
設備の全体的な大きさを減らすために、ホッパは互いに接近して配置され、かつ最大の収容容量を提供するように成形される。このような複数ホッパベルレストップ（ＢＥＬＬ−ＬＥＳＳ  ＴＯＰ）装入設備は、例えば、特許文献１に開示されている。
【０００７】
従って、シャフト炉用の最新技術の装入設備は、シャフト炉内に材料を分配する分配装置、特にシャフト炉の中心軸に関して対称的に配置された旋回可能なシュートと、平行に配置され、分配装置に供給される材料を貯蔵するために分配装置の上方の中心軸からオフセットされている少なくとも２つのホッパとを備える。
【０００８】
図１は、最新技術において知られているような高炉内での原料の装入及び排出用の材料ホッパの部分切断図を表す。材料ホッパ１０は、内壁１４及び外壁１６を有する収納シェル１２を備える。シェル１２は、中央シリンダ１８を介して接続された２つの円錐台形部品の重ね合わせによって作製され、コンベヤベルト又はスキップカー（図示せず）によって供給される分配ロッカーと協働する上部シール弁２４によって覆われた上部開口部２２を、頂部に有する上部円錐２０と、中央シリンダ１８に取り付けられた接続端部２７を有し、材料が通って図示されていない下流中央シュート配置に排出される出口部分２８における底部で終わる下部円錐２６である。
【０００９】
図１に示されるように、ホッパ１０は、中央シュート配置の中心軸に対応する軸Ｃに対して偏心している。各ホッパ１０はシュート配置の前記中心軸から半径方向対称位置に配置されている。下部円錐２６は、出口部分２８と非対称に構成され、偏心して中心軸Ｃに近接して配置されたている。説明の目的のために、ホッパの内側３０は、使用時にはシュート配置の中心軸Ｃに近接する領域を指すのに対し、外側３２は対向する領域を指す。
【００１０】
装入動作では、装入材料の流れが上部開口部２２を通って上部円錐２０に入り、シェル１２の内壁１４に落下して、ホッパ１０内に堆積する。ホッパ１０のサイズが大きいため、材料の流れは数メートルの高さから内壁１４に落ちやすい。ホッパ１０は一般に、装入動作中に上部開口部２２から繰り返し落下する材料の衝突から内壁１４を保護するために、概ね３４で示される鋳造ウェアプレートライニングを含む。ウェアプレートライニング３４は通常、複数の鋳造ウェアプレート３６を含む。鋳造ウェアプレート３６は、材料の流入流れを直接受ける「衝突領域」３８と呼ばれる領域に少なくとも配置される。
【００１１】
排出動作において、材料の流れは出口部分２８を通ってホッパ１０を出る。ホッパ１０の形状は、材料の流れを方向付け、単一ホッパ中央供給炉に関連するものにできるだけ近いホッパからの半径方向対称性のレベルを与える流れ条件を提供することによって、下流に位置する導管内の摩耗区域を減らすように適合される。
【００１２】
従って、下部シェル部２６の非対称構成は、出口部分２８を炉の中心軸Ｃに近づけることを可能にする。下部シェル部２６の出口部分２８及び上部開口部２７は、従来は円形であり、ほぼ水平面に配置されており、下部シェル部２６は切頭斜円錐を形成する。
【００１３】
鋳造ウェアプレート３６は、図１に破線４０で示す円形の水平実装ラインに従って、実質的に下部円錐２６の頂部から底部までの一連の積層された水平列で衝突領域３８に固定されている。理解されるように、内壁１４を均一に覆うために、各鋳造ウェアプレートは独特の形状を有する。
【００１４】
ホッパの内側のこのような鋳造ウェアプレートライニング３４の不便な点は、多種多様な構成要素を必要とすることであり、これは高い生産コストを伴う。この問題は、より複雑なウェアプレートの在庫を管理する必要があるため、特にキャスト鋳造ウェアプレートの供給業者及び使用者にさらに影響を及ぼす。
本発明の目的
【００１５】
従って、材料ホッパを製造するために使用される解決策を改良することが望ましい。より具体的には、本発明は、材料ホッパの下部円錐の内側の衝突領域を覆うために使用される鋳造ウェアプレートライニングのための改良された解決策を提供することを目的とする。
【発明の概要】
【００１６】
本発明は、請求項１に記載のように、特に高炉用の材料ホッパを提案する。
【００１７】
本発明は、材料ホッパの非対称な漏斗形の下部シェル部に設けられたウェアプレートが、下部シェル部の形状と実質的に一致する仮想の直円錐に関して画定された実装ラインに沿って配置された材料ホッパを提供することによって、上述の欠点及び不利を克服する。特に、ウェアプレートは、下部シェル部と、漏斗形の下部シェル部の形状と実質的に一致する仮想の直円錐の軸に垂直な平面との交差によってそれぞれ画定される平行な実装ラインに従う列に配置される。
【００１８】
本明細書で「仮想円錐」とも呼ばれる仮想直円錐は、下部シェル部の形状の数学的近似値であり、典型的には、斜円錐に基づいて設計されている。従って、仮想直円錐は、下部シェル部の内側（又は外側）形状にぴったり合う。ウェアプレートの配置に使用されるという意味では仮想的であるが、ホッパにこの円錐を具現化する要素はない。
【００１９】
そのような仮想円錐を使用する利点は、定義により、垂直円錐の軸に垂直な平面が円錐の側面と交差して、外周の任意の箇所で、円錐形の表面上に同じ距離だけ離間した円（ここでは実装ライン）を画定することである。鋳造ウェアプレートは、このように、円対称軸、すなわち仮想円錐の軸を有する円形列上に配置される。本発明で使用される実装ラインは、実際には、垂直に対して（また図１に示される水平実装ラインと比較して）傾斜しているが、それらは実装ライン間の規則的な距離により顕著な利点をもたらす。その結果、本発明の材料ホッパでは、同じ列のウェアプレートは同じ形状及び寸法を有することができる。これは、在庫処理を減らし、実装を容易にするという点で顕著な利点を有する。
【００２０】
本発明は、高炉又は鉄鋼製造の分野に限定されないが、材料ホッパの内側にウェアプレート配置を設けることが望ましいあらゆる産業において使用できることは明らかであろう。さらに、本発明の教示は新規の材料ホッパの構成に適用可能であるが、既存の材料ホッパにも適用することができる。
【００２１】
従来、ウェアプレートは鋳造によって銑鉄又は鋼から製造することができ、それによりそれらは「鋳造ウェアプレート」と呼ばれることがある。しかしながら、これは限定的であると見なすべきではなく、使用目的に応じて、ウェアプレートは他の材料から製造することができる。
【００２２】
ウェアプレート配置とは別に、材料ホッパの設計は従来と同様であり得る。例えば、下部シェル部の材料出口は、実質的に垂直方向の材料の流出を生じるように垂直に向けられてもよく、水平面に円形の断面を有する。
【００２３】
また、下部シェル部は、典型的にはそれが、好ましくは円筒形の中央部分を介して、上部シェル部と接続するための上部接続端部を有することができる。接続端部は水平面に円形断面を有し、接続端部は前記材料出口に対して偏心している。
【００２４】
上記のように、本発明により、所与の列の全ての鋳造ウェアプレートは同じ形状を有することができる。好ましくは、円周方向のウェアプレート曲率及び幅は、最終鋳造ウェアプレートライニングが各列の円の形状からの最小のずれをもたらすように予め決定される。
【００２５】
好ましくは、ウェアプレート配置は、下部シェル部の内壁の少なくとも衝突領域を覆うように設けられる。実際、ウェアプレートは、主に、ホッパのいわゆる衝突領域、すなわち入り口開口部に面し、材料の流入流れを直接受けるシェルの壁領域を覆うように配置されている。しかしながら、ホッパの内周全体をウェアプレートで覆うことも可能である。当業界で知られているように、ウェアプレートで覆われていない内壁領域には、セラミックタイルのライニングを設けることができる。
【００２６】
各ウェアプレートは、ホッパの内側に面する前面と、それによってウェアプレートが前記下部シェル部の内壁に対して取り付けられている対向する後面とを有する湾曲した本体を備える。好ましくは、ウェアプレートの前面には、材料の蓄積を可能にする水平溝が設けられ、それによって前面の摩耗を低減する。
【００２７】
ウェアプレートの取り付けを容易にするために、ウェアプレートの長手方向に延びる横方向端部は、凸状のＶ字形の輪郭を有する。
【図面の簡単な説明】
【００２８】
本発明のさらなる詳細及び利点は、添付の図面を参照しながら、実施形態を限定しない以下の詳細な説明から明らかとなろう。
【図１】最新技術による材料ホッパの部分断面図である。
【図２】本発明の一実施形態による材料ホッパの部分断面図である。
【図３】本発明の材料ホッパの下部シェルにおける鋳造ウェアプレート配置を示す原理斜視図である。
【図４】図３の側面図である。
【図５】本発明の材料ホッパの下部シェルにおける鋳造ウェアプレート配置の原理上面図である。
【図６】図５の細部Ａの拡大図である。
【発明を実施するための形態】
【００２９】
最新技術の材料ホッパは、図１を参照して上述した。当技術分野で知られているように、このような材料ホッパは、高炉の頂部にある平行ホッパ型装入設備（特にベルレストップ）において使用するように設計されている。それ自体知られているように、このような装入設備は高炉の炉口の頂部閉鎖体として配置された回転分配装置を含む。バルク材料を高炉内に分配するために、分配装置は分配部材として機能するシュートを含む。シュートは、高炉の垂直中心軸を中心に回転可能であり、かつ垂直軸に垂直な水平軸を中心に旋回可能であるように炉口の内側に配置されている。
【００３０】
装入設備はさらに、分配装置の上方に平行に配置されかつ炉の中心軸からオフセットして配置された、図１に示す種類の一対の材料ホッパを含む。それ自体知られている方法では、ホッパは分配装置によって分配されるバルク材料のための貯蔵容器として、かつ交互に開閉する上部及び下部シール弁によって高炉内の圧力の損失を避ける圧力ロックとして機能する。各ホッパは下端部に、それぞれの材料ゲートハウジングを有することができる。共通のシール弁ハウジングが材料ゲートハウジングと分配装置との間に配置され、材料ゲートハウジングを介してホッパを分配装置に接続する。これは一例にすぎず、当業者には明らかなように、他の構成を選択することができる。例えば、シール弁及び材料ゲートは同じハウジング内に配置することができる。
【００３１】
次に図２を参照すると、高炉装入設備用の本発明の材料ホッパ１０´の実施形態が示されている。図２の材料ホッパ１０´は、ウェアプレートの配置を除いて、図１に示すものと本質的に同一である。従って、同じ又は類似の要素を示すために同じ参照符号が使用されている。
【００３２】
図２において、概ね円錐台形の上部シェル部２０、実質的に円筒形の中央シェル部１８及び漏斗形の下部シェル部２６を含む収納シェル１２を備えた材料ホッパ１０´が認識される。下部シェル部２６は、上部接続端部２７によって中央部１８に気密に取り付けられ、その下端部で出口部分２８において終わっている。出口部分２８は、実質的に垂直方向の材料の流出を生じるように垂直に配置されており、水平面において円形の断面を有している。出口部分２８は、円形のスリーブ又はリングとして設計することができる。図２に見られるように、一般にホッパ１０´、特に下部シェル部２６の構成は、ホッパ１０´の中心軸Ｈ（すなわち、中央部１８を画定する円柱の軸）に関して非対称である。より正確には、軸線Ｈに関して、出口部分２８は、それが高炉の中心軸線Ｃに極めて接近して配置することができるように偏心している。この効果を達成するために、上部２０及び中央部１８の形状は必ずしも図２に示される通りである必要はないが、出口部分２８は偏心して配置されていることが理解されるであろう。
【００３３】
原料が空のホッパ１０´に供給されると、材料の流入流れは、入口開口部２２に対向する／面する下部シェル部２６の部分に落下し、この領域は衝突領域と呼ばれ、３８で示される。シェル自体の磨耗を避けるために、内壁１４は、少なくとも衝突領域において、内壁１４に固定されたウェアプレート４４の配置４２で覆われている。従来、ウェアプレートは銑鉄から鋳造することによって製造されており、従って典型的に鋳造ウェアプレートとも呼ばれている。本発明のホッパ１０´では、典型的に、鋳造ウェアプレートが使用されるが、本発明のウェアプレート配置は、異なる材料から作製されたウェアプレートと共に使用することもできる。
【００３４】
図１に戻って参照すると、既に説明したように、ウェアプレート４４は、出口部分２８の開口面に平行な円形の実装ライン（図１の４０）に沿って、すなわち水平に通常取り付けられている。この従来の配置の主な欠点は、下部円錐２６が非対称の漏斗形状を有するので、２つの平行な水平実装ライン４０間の距離（内壁１４で測定）が、円形の実装ラインの中心に対する角度位置に応じて変わることである。例えば、内壁１４に沿って測定した２つの隣接する実装ライン４０間の距離ｄ１はｄ２より小さい。従って、全てのウェアプレート４４は独特の形状を持たなければならない。
【００３５】
図１とは対照的に、図２に示す本発明の材料ホッパ１０´は、図３及び図４を参照してここで説明するように、仮想直円錐によって画定される傾斜した円形の実装ライン４８に従って配置されたウェアプレートライニング４２を有する。
【００３６】
図３及び図４では、下部出口部分２８及び上部接続端部２７を有する漏斗形下部シェル部２６が認識される。出口部分２８及び接続端部２７は両方とも（設計上）円形であり、平行な水平面内に延在するが偏心しており、これは下部シェル部２６のこの非対称漏斗形状をもたらす。数学的に言えば、下部シェル２６は切頭斜円錐を形成しており、対応する円錐形の頂点は、接続端部２７に対応する円形ベースの中心上にはない。切頭斜円錐の頂点は、図４にＡ０で示されており、慣例に従って下部シェル部２６によって形成された側面の母線の交点として決定される。出口部分及び接続端部２７の中心を通る斜円錐の軸はＯで示されている。
【００３７】
参照符号４４は、仮想直円錐（設計目的に使用されるが中実円錐要素には対応しないという意味で仮想である）を示す。この直円錐５０は、下部シェル部２６の漏斗形状とできるだけ一致するように設計されている。すなわち、仮想円錐５０は、下部シェル２６の円錐台形状に最も近い直円錐として寸法決めされているか、又は言い換えれば、それは、内壁１４にできるだけ接近するように下部シェル部２６の内側に最もよく適合する。ある程度、それは、下部シェル部２６に内接する直円錐と見なすことができる。仮想円錐５０は、軸Ｖ及び頂点Ａｖを有する。定義により、その軸線Ｖは、図中で線５３で具体化された、その円形ベースの中心を通過し、それに対して垂直である。なお、下部シェル部２６の非対称の漏斗状設計により、軸Ｏは典型的には垂直に対して傾斜しており、仮想円錐５０、それぞれの軸線Ｖは、一般に垂直に対して傾斜している。
【００３８】
本明細書では、仮想円錐５０を使用して、下部シェル部２６内側のウェアプレート４４の実装ライン４８を画定しており、各実装ライン４８は、仮想円錐軸Ｖに垂直なそれぞれの平面と、切頭斜円錐として設計された下部シェル部２６との交点として画定される。従って、実装ライン４８は従来の水平実装ライン４０に対して傾斜しているが、それらは直円錐の軸線ＡＶに垂直な平面内にあるので、実装ライン４８は円形である。その結果、内壁１４上の任意の対の実装ライン４８間の距離（例えばｄ３で表される）は、実装ラインの中心に関して任意の角度位置で同じである。所与の列に、すなわち同じ実装ライン４８に沿って配置されたウェアプレート４４は、従って、同じ形状を有するように設計することができる。
【００３９】
内壁１４は斜円錐上に構築されているが、仮想円錐５０は直円錐であるので、２つの円錐は完全に重なり合うことができない。仮想円錐５０は、下部２６の斜円錐にできるだけ近づくように最適化されている。理解されるように、実用的な結果は、狭い間隙５２が２つの円錐の間に存在し、これは必要ならば接合手段又は固定手段によって容易に補償され得ることである。しかしながら、図４に示されるように、円錐の軸ＡＶ及びＡＯは小さなずれを有するので、この間隙は小さい。
【００４０】
有利には、仮想円錐５０は、下部円錐部２６の容積内に完全に含まれるように設計されている。このようにして、仮想円錐５０の表面は、鋳造ウェアプレート配置４２を配置するために、内壁１４の元の円錐の内側に常にアクセス可能である。実際には、下部２６の円錐形状は仮想円錐５０に非常に近く、図３に示すように２つの円錐の間に狭い間隙５２のみを残す。
【００４１】
図から分かるように、ウェアプレート４４は、下部シェル部２６の内壁１４に対して列をなして配置されているが、仮想円錐５０によって決定された実装ライン４８に従って向けられている。その場合、ウェアプレート配置４２は、内壁１４を覆うように軸線Ｖの方向に重ねて配置された、すなわち積層された複数列のウェアプレート４４からなる。例えば、実装ライン４８に沿ってウェアプレート４４の上端部を整列させることによって、１列が得られる。１列が隣接する２本の実装ライン４８の間にあるとも言える。図２において、列は４９で示される。
【００４２】
鋳造ウェアプレート４４は、内壁１４を均一に覆うために互いに密接に配置されており、つまり、２つの隣接する鋳造ウェアプレート４４の間に実質的な間隙は存在しない。
【００４３】
図５により良く示されているように、ウェアプレート４４それ自体は、典型的にはホッパの内部に面する前面５６及び対向する後面５８を有する湾曲した本体５４からなり、それによってウェアプレートは例えば、ボルト、ねじ、又ははんだ接合部などの任意の適切な手段を使用して内壁１４に取り付けられる。好ましくは、固定手段は、内壁１４の対応する穴に係合する３本のボルトを含む。前面５６は、材料の蓄積を可能にし、それによって前面の磨耗を減少させる複数の水平溝６０を含む。参照符号６２は、組み立て中にウェアプレートを持ち上げる／保持することを可能にする、例えばリング、フックなどの持ち上げ部材を示す。
【００４４】
上述したように、ウェアプレート本体５４は湾曲形状を有し、すなわちプレート本体５４（前面５６だけではない）は、前面５６から見て凹面状に、すなわち横方向端部６４を前方に向けて、曲げられている。後面５８の湾曲は、後面が取り付けられる列の仮想直円錐５０の形状に合うように有利に設計される。
【００４５】
鋳造ウェアプレート４４は円形実装ライン４８に従って列状に配置され、仮想円錐５０の軸Ｖは列ごとに円対称軸であるので、所与の列内の各鋳造ウェアプレート４４は、所与の実装ライン４８に沿った任意の場所に交換可能に取り付けることができる。また、同じ列の全ての鋳造ウェアプレート４４は同じ寸法を有することができる。
【００４６】
例示のために、鋳造ウェアプレート４４の全体寸法は、本体が約１００ｍｍの厚さを有して、８００ｍｍ（幅）×９００ｍｍ（高さ）のオーダーであり得る。これらの寸法は限定的なものではなく、当業者は所望のように寸法を適合させることができる。
【００４７】
列全体が鋳造ウェアプレートで覆われる場合、すなわち３６０°を超える場合、その列を整数個のウェアプレートで覆うことができるように鋳造ウェアプレートの幅を画定することができる。実際には、鋳造ウェアプレートを衝突領域、例えばホッパ１０´の外側３２に配置することで十分であろう。
【００４８】
当技術分野で知られているように、ウェアプレート４４によって覆われていない内壁１４の領域は、セラミックタイル（図示せず）によって覆われていてもよい。
【００４９】
図５に見られるように、本体は２つの長手方向に延びる横方向端部６４（すなわち仮想円錐５２の軸方向に延在）ならびに上端部６６及び下端部６８を有し、これらは典型的には実装ライン５０と平行である。上端部６６及び下端部６８は、後面５８に対してほぼ垂直な、実質的に真っ直ぐな壁である。横方向端部６４は、同じ列で隣接するウェアプレート４４に面している。
【００５０】
材料ホッパ１０´の取り付け中、鋳造ウェアプレート４４は持ち上げ部材６２によってクレーンに吊り下げられる。理解されるように、ウェアプレートはオペレータによって半径方向に操作する必要があるが、傾斜した実装ライン４８に従って傾斜されなければならない。
【００５１】
ウェアプレート４４の設置を容易にするために、その横方向端部６４は回転を容易にする輪郭を備えている。図６に示すように、横方向端部６４は、横方向端部に凸状のＶ字形の輪郭を与える２つの傾斜面７０を含む。Ｖ字形は、実装プロセスの間、すなわち、２つの固定された隣接するプレート間に配置される場合に、鋳造ウェアプレート４４が容易に回転し定位置に置くことを可能にする。
【先行技術文献】
【特許文献】
【００５２】
【特許文献１】国際公開第２００７／０８２６３０号
【図１】
2019531410.tif 000003
【図２】
2019531410.tif 000004
【図３】
2019531410.tif 000005
【図４】
2019531410.tif 000006
【図５】
2019531410.tif 000007
【図６】
2019531410.tif 000008
【国際調査報告】
2019531410.tif 000009
2019531410.tif 000010